【手続補正書】
【提出日】平成23年7月14日(2011.7.14)
【手続補正１】
【補正対象書類名】特許請求の範囲
【補正対象項目名】全文
【補正方法】変更
【補正の内容】
【特許請求の範囲】
【請求項１】
光学的に透明な基板を備えた光学部品であって、基板は、基板の表面に機構の所定の配列を備えた層を含み、機構の少なくとも一部は量子ドットを含むダウンコンバージョン材料で構成される、光学部品。
【請求項２】
光学的に透明な基板が導波管を備える、請求項１に記載の光学部品。
【請求項３】
光学的に透明な基板がディフューザを備える、請求項１に記載の光学部品。
【請求項４】
光学部品の上面から放出された光を取り出すように適合された上面をさらに備える、請求項１に記載の光学部品。
【請求項５】
基板が、基板のエッジに光学的に結合されたＬＥＤを有するように適合されている、請求項１に記載の光学部品。
【請求項６】
ＬＥＤが基板に埋め込まれている、請求項１に記載の光学部品。
【請求項７】
基板が、所定の配列に対向する基板の表面に光学的に結合されたＬＥＤを有するように適合されている、請求項１に記載の光学部品。
【請求項８】
基板が、所定の配列を含む基板の表面に光学的に結合されたＬＥＤを有するように適合されている、請求項１に記載の光学部品。
【請求項９】
基板が、プリズムを通じて基板に光学的に結合されたＬＥＤを有するように適合されている、請求項１に記載の光学部品。
【請求項１０】
機構がディザリングされた配列で含まれている、請求項１に記載の光学部品。
【請求項１１】
ダウンコンバージョン材料が散乱体をさらに含む、請求項１に記載の光学部品。
【請求項１２】
所定の配列が、ダウンコンバージョン材料で構成される機構ならびに散乱体および／または非散乱材料で構成される機構を含む、請求項１０に記載の光学部品。
【請求項１３】
所定の配列が、ダウンコンバージョン材料で構成される機構ならびに取り出しおよび非散乱機能を備えた材料で構成される機構を含む、請求項１０に記載の光学部品。
【請求項１４】
所定の配列が、ダウンコンバージョン材料で構成される機構ならびに反射性材料で構成される機構を備える、請求項１０に記載の光学部品。
【請求項１５】
所定の配列が、ダウンコンバージョン材料で構成される機構、反射性材料で構成される機構、および散乱体で構成される機構を備える、請求項１０に記載の光学部品。
【請求項１６】
散乱体が二酸化チタン、硫酸バリウム、酸化亜鉛またはこれらの混合物で構成される、請求項１１、１２、１３または１４に記載の光学部品。
【請求項１７】
光学部品が、反射性材料で構成される層をさらに含む、請求項１０に記載の光学部品。
【請求項１８】
反射性材料が銀粒子で構成される、請求項１４、１５または１６に記載の光学部品。
【請求項１９】
基板が導波管を備え、ダウンコンバージョン材料で構成される機構は、光源からの導波された発光の第１の部分の少なくとも一部の波長を変換し、散乱体で構成される機構は光源からの導波された発光の第２の部分を取り出して、反射性材料で構成される機構は、導波管から放出された光またはＱＤからのダウンコンバートされた光の少なくとも一部を再循環する、請求項１５に記載の光学部品。
【請求項２０】
上面が光を取り出すためのマイクロレンズを含む、請求項４に記載の光学部品。
【請求項２１】
上面が光を取り出すためのマイクロレリーフ構造物を含む、請求項４に記載の光学部品。
【請求項２２】
機構の所定の配列が基板表面の所定の領域に配置される、請求項１に記載の光学部品。
【請求項２３】
ダウンコンバージョン材料で構成される機構がディザリングされた配列で配列され、機構それぞれに含まれるダウンコンバージョン材料が、光源に光学的に結合されるときに光学部品が白色光を放出することが可能であるように、所定の波長を有する光を放出可能である量子ドットを含むように選択される、請求項１０に記載の光学部品。
【請求項２４】
機構の少なくとも一部が他の機構から光学的に絶縁されている、請求項２２または２３に記載の光学部品。
【請求項２５】
機構の少なくとも一部が他の機構から空気によって光学的に絶縁されている、請求項２４に記載の光学部品。
【請求項２６】
機構の少なくとも一部が、より低いまたはより高い屈折率の材料によって他の機構から光学的に絶縁されている、請求項２４に記載の光学部品。
【請求項２７】
ダウンコンバージョン材料が、量子ドットが分散されているホスト材料をさらに含む、請求項１に記載の光学部品。
【請求項２８】
ダウンコンバージョン材料が、量子ドットが分散されている結合剤をさらに含む、請求項１に記載の光学部品。
【請求項２９】
ダウンコンバージョン材料が散乱体をさらに含む、請求項１に記載の光学部品。
【請求項３０】
量子ドットで構成されるダウンコンバージョン材料および固体ホスト材料を含む、光学的に透明な基板導波管を備えた光学部品であって、ダウンコンバージョン材料が基板の表面の所定の領域に所定の配列で配置されており、導波管が光源に光学的に結合されるように適合されている、光学部品。
【請求項３１】
所定の配列がダウンコンバージョン材料で構成される機構を含む、請求項３０に記載の光学部品。
【請求項３２】
機構の少なくとも一部が所定の取り出し角を有するように構成されている、請求項１、１０または３０に記載の光学部品。
【請求項３３】
機構が成形される、請求項３２に記載の光学部品。
【請求項３４】
機構がレーザパターン形成される、請求項３２に記載の光学部品。
【請求項３５】
機構が化学エッチングされる、請求項３２に記載の光学部品。
【請求項３６】
機構が印刷される、請求項３２に記載の光学部品。
【請求項３７】
機構がスクリーン印刷、コントラクト印刷、またはインクジェット印刷によって印刷される、請求項３６に記載の光学部品。
【請求項３８】
機構が実質的に半球状の表面を含む、請求項３２に記載の光学部品。
【請求項３９】
機構が湾曲表面を含む、請求項３２に記載の光学部品。
【請求項４０】
機構がプリズム形状を含む、請求項３２に記載の光学部品。
【請求項４１】
光源が基板のエッジに光学的に結合されることが可能である、請求項２２または２３に記載の光学部品。
【請求項４２】
機構の数および機構の相互への接近度は、光源からの増加する距離の関数として増加する、請求項４１に記載の光学部品。
【請求項４３】
光学部品の表面から放出された光が、基板表面の所定の領域にわたって実質的に均質である、請求項４２に記載の光学部品。
【請求項４４】
反射性材料で構成される層が、部品の発光表面に向かって光を反射するために、光源および導波管に対して位置決めされる、請求項１７に記載の光学部品。
【請求項４５】
反射性材料で構成される層が、ダウンコンバージョン材料を含む表面に対向する基板の表面に配置される、請求項４４に記載の光学部品。
【請求項４６】
反射性材料が、ＬＥＤが結合されたエッジに対向する基板のエッジに含まれる、請求項５に記載の光学部品。
【請求項４７】
反射性材料が基板のエッジの少なくとも一部の周囲に含まれる、請求項３に記載の光学部品。
【請求項４８】
光学的に透明な基板を備えた光学部品であって、基板が、基板の表面に量子ドットを含むダウンコンバージョン材料を含み、ダウンコンバージョン材料が、基板表面に２つ以上のフィルムで構成される層状配列で配置される、光学部品。
【請求項４９】
光学的に透明な基板が導波管を備える、請求項４８に記載の光学部品。
【請求項５０】
光学的に透明な基板がディフューザを備える、請求項４８に記載の光学部品。
【請求項５１】
光学部品の表面から放出された光を取り出すように適合された上面をさらに備える、請求項４８に記載の光学部品。
【請求項５２】
各フィルムが、他のフィルムのいずれの波長とも異なる波長で光を放出することが可能である、請求項４８に記載の光学部品。
【請求項５３】
フィルムが導波管表面からの波長を低減するために配置されており、最大波長の光を放出可能であるフィルムが導波管表面に最も近く、最小波長の光を放出可能であるフィルムが導波管表面から最も遠い、請求項４８に記載の光学部品。
【請求項５４】
層状配列が、青色光を放出可能である量子ドットを含む第１フィルム、緑色光を放出可能である量子ドットを含む第２フィルム、黄色光を放出可能である量子ドットを含む第３フィルム、および赤色光を放出可能である量子ドットを含む第４フィルムを含む、請求項４８に記載の光学部品。
【請求項５５】
層状配列が、光学的に透明な散乱体または非散乱材料を含む第１フィルム、緑色光を放出可能である量子ドットを含む第２フィルム、黄色光を放出可能である量子ドットを含む第３フィルム、および赤色光を放出可能である量子ドットを含む第４フィルムを含む、請求項４８に記載の光学部品。
【請求項５６】
層状配列が、赤色光を放出可能である量子ドットを含む第１フィルム、緑色光を放出可能である量子ドットを含む第２フィルム、および青色光を放出可能である量子ドットを含む第３フィルムを含む、請求項４８に記載の光学部品。
【請求項５７】
層状配列が、赤色光を放出可能である量子ドットを含む第１フィルム、緑色光を放出可能である量子ドットを含む第２フィルム、および光を取り出すための散乱体または非散乱材料を含む第３フィルムを含む、請求項４８に記載の光学部品。
【請求項５８】
層状配列が、青色光を放出可能である量子ドットを含む第１フィルム、黄色光を放出可能である量子ドットを含む第２フィルムを含む、請求項４８に記載の光学部品。
【請求項５９】
層状配列が、黄色光を放出可能である量子ドットを含む第１フィルム、光を取り出すための散乱体または非散乱材料を含む第２フィルムを含む、請求項４８に記載の光学部品。
【請求項６０】
層状配列が、赤色光を放出可能である量子ドットを含む第１フィルム、オレンジ色光を放出可能である量子ドットを含む第２フィルム、黄色光を放出可能である量子ドットを含む第３フィルム、緑色光を放出可能である量子ドットを含む第４フィルム、および青色光を放出可能である量子ドットを含む第５フィルムを含む、請求項４８に記載の光学部品。
【請求項６１】
層状配列が、赤色光を放出可能である量子ドットを含む第１フィルム、オレンジ色光を放出可能である量子ドットを含む第２フィルム、黄色光を放出可能である量子ドットを含む第３フィルム、緑色光を放出可能である量子ドットを含む第４フィルム、および光を取り出すための散乱体または非散乱材料を含む第５フィルムを含む、請求項４８に記載の光学部品。
【請求項６２】
非散乱材料が透明アクリル、ＵＶ硬化性接着剤、またはポリカーボネートを含む、請求項１２に記載の光学部品。
【請求項６３】
機構がディザリングされた配列で含まれている、請求項３０に記載の光学部品。